(57)【特許請求の範囲】
【請求項１】
撮像手段と、
前記撮像手段により撮像された画像を表示する表示手段と、
前記画像を記録する記録手段と、
前記画像の記録を指示するシャッターキーと、
前記撮像に関する設定情報を表示するメニューを前記画像に重畳して、前記表示手段に表示させるように制御する制御手段と、を備え、
前記制御手段は、前記シャッターキーに対する第1の操作により生成される第１の指示信号に基づいて、前記画像に重畳されたメニューを消去するとともに、前記シャッターキーに対する第２の操作により生成される第２の指示信号に基づいて、前記画像の前記記録手段への記録を実行する
画像記録装置。
【請求項２】
メニュー表示キー備え、
前記制御手段は、前記メニュー表示キーに対する操作により生成される指示信号に基づいて、前記メニューを画像に重畳させる
請求項１に記載の画像記録装置。
【請求項３】
前記第1の操作は、半押し操作である
請求項１に記載の画像記録装置。
【請求項４】
前記制御手段は、
前記シャッターキーに対する半押し操作が解除されたとき、または、前記シャッターキーに対する深押し操作が行われたときには、前記表示手段に前記画像を表示させるように制御する
請求項３に記載の画像記録装置。
【請求項５】
撮像手段により撮像された画像を表示手段に表示し、
前記画像を記録手段に記録し、
前記画像の記録をシャッターキーで指示し、
前記撮像に関する設定情報を表示するメニューを前記画像に重畳して、前記表示手段に表示させるように制御手段で制御し、
前記制御手段が、前記シャッターキーに対する第１の操作により生成される第１の指示信号に基づいて、前記画像に重畳されたメニューを消去するとともに、前記シャッターキーに対する第２の操作により生成される第２の指示信号に基づいて、前記画像の前記記録手段への記録を実行する
画像記録方法。
【発明の詳細な説明】
【０００１】
【発明の属する技術分野】
本発明は、例えば静止画の撮影記録に使用して好適な画像記録装置及び画像記録方法に関する。詳しくは、例えば液晶ディスプレイ装置のようなモニター装置を内蔵し、そのモニター装置に撮影に関わるメニュー画面等を画像に重畳して表示している場合の表示の制御に関するものである。
【０００２】
【従来の技術】
例えば静止画の撮影記録に好適な画像記録装置として、図３に示すような装置が提案されている。すなわち図３において、被写体（図示せず）からの映像光はレンズブロック３１を通って撮像素子（ＣＣＤ）３２に到達する。この撮像素子３２では映像光が電気信号に変換され、変換された映像信号がカメラ信号処理ブロック３３に供給されて、輝度信号（Ｙ）及び２つの色差信号（Ｃｒ、Ｃｂ）に変換される。さらにこれらの映像信号が信号処理ブロック３４を通過して３原色（ＲＧＢ）デコーダ３５に供給され、変換された３原色信号が液晶ディスプレイ（ＬＣＤ）表示パネル３６に供給されて、撮影中の画像が表示される。
【０００３】
そして例えば装置の匣体に設けられたシャッターキー４０が押されると、例えば信号処理ブロック３４から画面１枚分の画像がメモリ装置（ＤＲＡＭ）３８に取り込まれる。すなわちシャッターキー４０が押されると、連動する検出スイッチ４１でそれが検出されてシステムコントローラ４２にその指示操作の信号が供給される。これによってシステムコントローラ４２で形成された制御信号がパラレルバス３７に供給され、例えば信号処理ブロック３４から画面１枚分の画像がパラレルバス３７を通じてメモリ装置３８に取り込まれる。なお、制御信号と画像データは共にパラレルバス３７を通じて転送される。
【０００４】
さらにメモリ装置３８に取り込まれた画像は、一旦システムコントローラ４２に取り込まれ、ＪＰＥＧ（Joint Photographic Image coding Experts Group ）方式等のフォーマットに従って圧縮が行われて再びメモリ装置３８の別のアドレスに格納される。またこの圧縮された画像にファイルヘッダーなどの情報がシステムコントローラ４２で付加されてＪＰＥＧファイルとしてのデータストリームが形成される。そしてこの形成された画像ファイルがパラレルバス３７を通じて記録信号処理ブロック３９に転送される。なおこれらの制御もシステムコントローラ４２で形成される制御信号によってパラレルバス３７を通じて行われる。
【０００５】
このようにして転送された画像ファイルが記録信号処理ブロック３９から記録装置４３に供給されて、例えば着脱可能な記録媒体（図示せず）に記録される。この記録媒体としては、いわゆるフロッピーディスクや半導体メモリを内蔵したメモリーカード装置、あるいはそれに類似した記録媒体を用いることができる。そしてこれらの記録媒体に対応した記録装置４３が設けられて、記録信号処理ブロック３９に転送された画像ファイルの記録が行われる。すなわち撮像素子３２で撮影された映像信号の画面１枚分の画像が圧縮されて、例えばＪＰＥＧファイルの形式で記録媒体（図示せず）に記録される。
【０００６】
またシステムコントローラ４２には、例えばメニュー画面を選択するための選択手段４４が設けられ、この選択手段４４からの例えば上下左右の各キー（図示せず）の指示操作の信号がシステムコントローラ４２に供給されて指示操作に従ったメニュー画面が形成される。さらにこのシステムコントローラ４２で形成されたメニュー画面が表示パネル３６に表示される画像に重畳表示（On Screen Disply＝ＯＳＤ）するためのＯＳＤコントローラ４５に供給される。そしてこのＯＳＤコントローラ４５からの信号が３原色デコーダ３５に供給されて、表示パネル３６に表示される画像にメニュー画面の重畳表示が行われる。
【０００７】
すなわちこの装置において、選択手段４４からの指示操作に従って例えば図４に示すようなメニュー画面の表示が行われる。この図４は、指示操作に従って行われるメニュー画面の遷移の様子を表したもので、例えばメニュー表示の無いメニュー画面▲１▼から選択手段４４で上キーが指示操作されると、初期画面のメニュー画面▲２▼に遷移される。ここでは例えば画像の特殊効果の設定項目を表す〔ＥＦＦＥＣＴ〕、記録形式の設定項目を表す〔ＦＩＬＥ〕、撮影に関わる設定項目を表す〔ＣＡＭＥＲＡ〕、その他の設定項目を表す〔ＳＥＴＵＰ〕等の文字が表示され、選択されている例えば〔ＣＡＭＥＲＡ〕の文字が反転されている。
【０００８】
さらに初期画面のメニュー画面▲２▼から選択手段４４で上キーが指示操作されると、反転された設定項目の設定事項を示すメニュー画面▲３▼に遷移される。ここでは例えばデジタルズームの設定を示す〔ＤＺＯＯＭ〕、先鋭度の設定を示す〔ＳＨＡＲＰＮＥＳＳ〕、ストロボ発光量の設定を示す〔ＦＬＡＳＨＬＥＶＥＬ〕、露光量の設定を示す〔ＥＸＰＯＳＵＲＥ〕等の文字が表示される。そして選択手段４４の上キーまたは下キーの指示操作によって設定事項が選択される。なお最下の設定事項から下キーが指示操作されるとメニュー画面▲４▼に遷移され、さらに下キーが指示操作されると初期画面のメニュー画面▲２▼に遷移される。
【０００９】
また、例えば撮影に関わる設定事項を示すメニュー画面▲３▼から選択手段４４で右キーが指示操作されると、例えば露光量を設定するためのメニュー画面▲５▼に遷移される。ここでは例えば以前に設定された値（△２．０ＥＶ）が表示され、選択手段４４の上キーまたは下キーの指示操作によって設定値が変更される。さらに選択手段４４で左キーが指示操作されるとメニュー画面▲３▼に遷移され、上キーまたは下キーの指示操作によって他の設定事項が選択される。また最下位の設定事項を選択して下キーが指示操作されるとメニュー画面▲４▼に遷移され、さらに下キーが指示操作されると初期画面のメニュー画面▲２▼に遷移される。
【００１０】
さらに初期画面のメニュー画面▲２▼から選択手段４４で右キーまたは左キーが指示操作されると、例えばメニュー画面▲６▼に示すように他の設定項目の文字が反転される。これによって、他の設定項目においても上述と同様に選択手段４４の上下左右の各キーを用いてそれぞれの設定事項を選択して、それぞれの設定値の変更を行うことができる。またこの初期画面のメニュー画面▲２▼から選択手段４４で下キーが指示操作されると、メニュー表示の無いメニュー画面▲１▼に遷移される。このようにして、いわゆる階層形式に形成されたメニュー画面を用いて各種の設定を行うことができる。
【００１１】
なお、このようなメニュー画面を用いて行われた各種の設定等はシステムコントローラ４２において行われるものである。そしてこれらの設定に従ってシステムコントローラ４２から画像記録装置の各部へ送られる制御信号等の形成が行われて、画像記録装置の各部の動作が設定に従って制御されるものである。また上述の装置では、システムコントローラ４２からの制御信号が音声合成回路４６に供給されて任意の警報や音声信号が形成される。そしてこの形成された警報や音声信号がアンプ４７を通じてスピーカー４８に供給されて、これらの形成された任意の警報や音声信号がスピーカー４８から放音される。
【００１２】
このようにして、表示パネル３６に表示される画像に重畳表示されたメニュー画面を用いて例えば撮影に関わる設定を行うことができる。そしてこの場合に、例えばメニュー画面が重畳表示されている状態でも、シャッターキー４０を押すことによって撮像素子３２で撮影された映像信号の画面１枚分の画像をパラレルバス３７を通じて信号処理ブロック３４からメモリ装置３８に取り込み、システムコントローラ４２で例えばＪＰＥＧファイルに圧縮した信号を記録信号処理ブロック３９を通じて記録装置４３に供給して、例えば着脱可能な記録媒体（図示せず）に記録することができる。
【００１３】
【発明が解決しようとする課題】
ところがこの装置において、メニュー画面が重畳表示されている状態では撮影された画像の多くの部分がメニュー画面によって隠されてしまっており、意図する画像の撮影が困難になってしまうものである。これに対してメニュー画面の消去を行おうとすると、例えば上述のメニュー画面▲５▼からでは、選択手段４４で左キーを指示操作してメニュー画面▲３▼に遷移し、さらに下キーを繰り返し指示操作することでメニュー画面▲４▼→▲２▼→▲１▼と遷移することになって、メニュー画面の消去までに極めて多くの操作が必要になる。このためこのような操作を行っている間に、一瞬のシャッターチャンスを逃がすなどの問題を生じる恐れがあった。
【００１４】
さらにこのような操作は、例えばメニュー画面▲５▼で選択されている設定事項が上位の場合にはさらに多くの操作が必要になるものである。すなわち例えばメニュー画面▲３▼で〔ＤＺＯＯＭ〕が選択されていた場合には、さらに３回の下キーの操作が必要になる。また設定事項の数が増えた場合には一層多くの操作が必要になる。一方、各メニュー画面の中にメニュー消去の項目を設けて、その項目を選択すればメニュー画面が消去されるようにすることもできるが、その場合もその項目を選択するまでには複数の操作が必要になるものであり、例えば一瞬のシャッターチャンスを逃がすなどの恐れを完全に解消できるものではなかった。
【００１５】
この出願はこのような点に鑑みて成されたものであって、解決しようとする問題点は、メニュー画面を画像に重畳して表示手段に表示するようにした画像記録装置においては、表示手段に撮影された画像を表示する際に、メニュー画面が重畳表示されている状態では撮影された画像の多くの部分がメニュー画面によって隠されてしまい、意図する画像の撮影が困難になってしまうものであるが、従来の装置では、このような場合に容易にメニュー画面の消去を行うことができず、一瞬のシャッターチャンスを逃がすなどの問題を生じる恐れがあったというものである。
【００１６】
【課題を解決するための手段】
このため本発明においては、例えばシャッターキーのいわゆる半押しを検出する検出手段を設けて、シャッターキーの半押しが検出されたときには、表示手段上で撮影された画像に重畳表示されているメニュー画面を消去する制御が行われるようにしたものであって、これによれば、所望のときに容易にメニュー画面の消去を行うことができ、意図する画像の撮影を良好に行うことができて、一瞬のシャッターチャンスを逃がすなどの問題を生じる恐れを解消することができる。
【００１７】
すなわち本発明は、撮像手段と、撮像手段により撮像された画像を表示する表示手段と、画像を記録する記録手段と、画像の記録を指示するシャッターキーと、撮像に関する設定情報を表示するメニューを画像に重畳して、表示手段に表示させるように制御する制御手段と、を備え、制御手段は、シャッターキーに対する第1の操作により生成される第１の指示信号に基づいて、画像に重畳されたメニューを消去するとともに、シャッターキーに対する第２の操作により生成される第２の指示信号に基づいて、画像の記録手段への記録を実行してなるものである。
【００１８】
以下、図面を参照して本発明を説明するに、図１は本発明による画像記録装置を適用した静止画撮影装置の一実施形態の構成を示すブロック図である。
【００１９】
図１において、被写体（図示せず）からの映像光はレンズブロック１を通って撮像素子（ＣＣＤ）２に到達する。この撮像素子２では映像光が電気信号に変換され、変換された映像信号がカメラ信号処理ブロック３に供給されて、輝度信号（Ｙ）及び２つの色差信号（Ｃｒ、Ｃｂ）に変換される。さらにこれらの映像信号が信号処理ブロック４を通過して３原色（ＲＧＢ）デコーダ５に供給され、変換された３原色信号が液晶ディスプレイ（ＬＣＤ）表示パネル６に供給されて、撮影中の画像が表示される。
【００２０】
またこの装置において、例えば装置の匣体に設けられたシャッターキー１０に関連して、このシャッターキー１０がその押し込み距離の中間まで押された、いわゆる半押しにされた状態を検出する半押し検出スイッチ１１と、シャッターキー１０が完全に押し込まれた状態を検出する深押し検出スイッチ１２とが設けられる。これにより使用者がシャッターキー１０を押し込んでいる状態がこれらのスイッチ１１、１２で検出され、これらのスイッチ１１、１２からの半押し及び深押しの状態に応じた指示操作の信号が、それぞれシステムコントローラ１３に供給される。
【００２１】
そして例えばシャッターキー１０が深押しされると、例えば信号処理ブロック４から画面１枚分の画像がメモリ装置（ＤＲＡＭ）８に取り込まれる。すなわちシャッターキー１０が深押しされると、深押し検出スイッチ１２でそれが検出され、システムコントローラ１３にその指示操作の信号が供給される。これによってシステムコントローラ１３で形成された制御信号がパラレルバス７に供給され、例えば信号処理ブロック４から画面１枚分の画像がパラレルバス７を通じてメモリ装置８に取り込まれる。なお、制御信号と画像データは共にパラレルバス７を通じて転送される。
【００２２】
さらにメモリ装置８に取り込まれた画像は、一旦システムコントローラ１３に取り込まれ、ＪＰＥＧ（Joint Photographic Image coding Experts Group ）方式等のフォーマットに従って圧縮が行われて再びメモリ装置８の別のアドレスに格納される。またこの圧縮された画像にファイルヘッダーなどの情報がシステムコントローラ１３で付加されてＪＰＥＧファイルとしてのデータストリームが形成される。そしてこの形成された画像ファイルがパラレルバス７を通じて記録信号処理ブロック９に転送される。なおこれらの制御もシステムコントローラ１３で形成される制御信号によってパラレルバス７を通じて行われる。
【００２３】
このようにして転送された画像ファイルが記録信号処理ブロック９から記録装置１４に供給されて、例えば着脱可能な記録媒体（図示せず）に記録される。この記録媒体としては、いわゆるフロッピーディスクや半導体メモリを内蔵したメモリーカード装置、あるいはそれに類似した記録媒体を用いることができる。そしてこれらの記録媒体に対応した記録装置１４が設けられて、記録信号処理ブロック９に転送された画像ファイルの記録が行われる。すなわち撮像素子２で撮影された映像信号の画面１枚分の画像が圧縮されて、例えばＪＰＥＧファイルの形式で記録媒体（図示せず）に記録される。
【００２４】
またシステムコントローラ１３には、例えばメニュー画面を選択するための選択手段１５が設けられ、この選択手段１５からの例えば上下左右の各キー（図示せず）の指示操作の信号がシステムコントローラ１３に供給されて指示操作に従ったメニュー画面が形成される。さらにこのシステムコントローラ１３で形成されたメニュー画面が表示パネル６に表示される画像に重畳表示（On Screen Disply＝ＯＳＤ）するためのＯＳＤコントローラ１６に供給される。そしてこのＯＳＤコントローラ１６からの信号が３原色デコーダ５に供給されて、表示パネル６に表示される画像にメニュー画面の重畳表示が行われる。
【００２５】
なおこのメニュー画面の重畳表示は上述の図４と同様に行われる。そしてこのようなメニュー画面を用いて行われた各種の設定等はシステムコントローラ１３において行われ、これらの設定に従ってシステムコントローラ１３から画像記録装置の各部へ送られる制御信号等の形成が行われて、画像記録装置の各部の動作が設定に従って制御されるものである。また上述の装置では、システムコントローラ１３からの制御信号が音声合成回路１７に供給されて任意の警報や音声信号が形成される。そしてこの形成された警報や音声信号がアンプ１８を通じてスピーカー１９に供給されて、これらの形成された任意の警報や音声信号がスピーカー１９から放音される。
【００２６】
このようにして、表示パネル６に表示される画像に重畳表示されたメニュー画面を用いて例えば撮影に関わる設定を行うことができる。そしてこの場合に、例えばメニュー画面が重畳表示されている状態でも、シャッターキー１０を深押しすることによって撮像素子２で撮影された映像信号の画面１枚分の画像をパラレルバス７を通じて信号処理ブロック４からメモリ装置８に取り込み、システムコントローラ１３で例えばＪＰＥＧファイルに圧縮した信号を記録信号処理ブロック９を通じて記録装置１４に供給して、例えば着脱可能な記録媒体（図示せず）に記録することができる。
【００２７】
それと共にシステムコントローラ１３では、上述のシャッターキー１０が半押しされた状態でメニュー画面を消去する制御が行われる。すなわちシャッターキー１０が半押しされると、半押し検出スイッチ１１でそれが検出され、システムコントローラ１３にその指示操作の信号が供給される。これによってシステムコントローラ１３では、例えば図２のフローチャートに示すような制御が行われることになる。なお図２のフローチャートは、上述の図４に示したメニュー画面の表示の全体の流れを含むものである。
【００２８】
図２において、制御がスタートされると、まずステップ〔１〕で図４のメニュー画面▲１▼が表示される。そしてステップ〔２〕でシャッターキー１０の状態が判断され、ここで半押しが検出される（Ｙ）とステップ〔３〕に進められる。さらにこのステップ〔３〕でもシャッターキー１０の状態が判断され、ここで深押しが検出された（Ｙ）ときはステップ〔４〕で画像の記録が行われる。またステップ〔３〕で深押しが検出されなかった（Ｎ）ときはステップ〔１〕に戻される。このようにして通常の撮像素子２で撮影された映像信号の画面１枚分の画像を例えば着脱可能な記録媒体（図示せず）に記録する制御が行われる。
【００２９】
また、上述のステップ〔２〕で半押しが検出されなかった（Ｎ）ときは、ステップ〔５〕で選択手段１５からの例えば上下左右の各キー（図示せず）の指示操作の信号が判断され、ここで上キーが判断された（Ｙ）ときはステップ〔６〕で図４のメニュー画面▲２▼が表示される。さらにステップ〔７〕でシャッターキー１０の状態が判断され、ここで半押しが検出されなかった（Ｎ）ときは、ステップ〔８〕で選択手段１５からの指示操作の信号が判断される。そしてこのステップ〔８〕で下キーが判断された（Ｙ）ときはステップ〔１〕に戻されて図４のメニュー画面▲１▼が表示される。
【００３０】
さらにステップ〔８〕で下キーが判断されなかった（Ｎ）ときは、続くステップ〔９〕でも選択手段１５からの指示操作の信号が判断される。そしてこのステップ〔９〕で上キーが判断された（Ｙ）ときはステップ〔１０〕で図４のメニュー画面▲３▼が表示される。続いてステップ〔１１〕でシャッターキー１０の状態が判断され、ここで半押しが検出されなかった（Ｎ）ときは、ステップ〔１２〕で選択手段１５からの指示操作の信号が判断される。そしてこのステップ〔１２〕で下キーが判断された（Ｙ）ときはステップ〔１３〕で図４のメニュー画面▲４▼が表示される。
【００３１】
さらにステップ〔１４〕でシャッターキー１０の状態が判断され、ここで半押しが検出されなかった（Ｎ）ときは、ステップ〔１５〕で選択手段１５からの指示操作の信号が判断される。そしてこのステップ〔１５〕で上キーが判断された（Ｙ）ときはステップ〔１０〕に戻されて図４のメニュー画面▲３▼が表示される。またステップ〔１５〕で上キーが判断されなかった（Ｎ）ときは、続くステップ〔１６〕でも選択手段１５からの指示操作の信号が判断され、ここで下キーが判断された（Ｙ）ときはステップ〔６〕に戻されて図４のメニュー画面▲２▼が表示される。
【００３２】
そしてこのフローチャートにおいて、上述のステップ〔７〕〔１１〕〔１４〕でシャッターキー１０の半押しが検出された（Ｙ）ときは、ステップ〔１７〕でメニュー画面の消去が行われる。続いてステップ〔１８〕でもシャッターキー１０の状態が判断され、ここで半押しの解除が検出されなかった（Ｎ）ときは、さらにステップ〔１９〕でもシャッターキー１０の状態が判断される。そしてこのステップ〔１９〕で深押しが検出された（Ｙ）ときはステップ〔２０〕で画像の記録が行われる。また、ステップ〔１８〕で半押しの解除が検出された（Ｙ）ときと、ステップ〔１９〕で深押しが検出されなかった（Ｎ）ときは、ステップ〔６〕に戻されて図４のメニュー画面▲２▼が表示される。
【００３３】
さらに上述のステップ〔５〕〔９〕での上キーと、ステップ〔１２〕〔１６〕での下キーが検出されなかった（Ｎ）ときは、それぞれステップ〔２１〕〜〔２４〕で他のキーの指示操作の信号が判断され、他のキーが検出されなかった（Ｎ）ときは、それぞれステップ〔２〕、〔７〕、〔１１〕、〔１４〕に戻される。また他のキーが検出された（Ｙ）ときはステップ〔２５〕でそれぞれのキーに対応した別画面の処理が行われる。さらにステップ〔２６〕でシャッターキー１０の状態が判断され、ここで半押しが検出されなかった（Ｎ）ときはステップ〔２５〕に戻されると共に、半押しが検出された（Ｙ）ときはステップ〔１７〕に進められてメニュー画面の消去が行われる。
【００３４】
従ってこの実施形態において、シャッターキーの半押しを検出する検出手段を設けて、シャッターキーの半押しが検出されたときには、表示手段上で撮影された画像に重畳表示されているメニュー画面を消去する制御が行われることによって、所望のときに容易にメニュー画面の消去を行うことができ、意図する画像の撮影を良好に行うことができて、一瞬のシャッターチャンスを逃がすなどの問題を生じる恐れを解消することができる。
【００３５】
これによって、メニュー画面を画像に重畳して表示手段に表示するようにした画像記録装置においては、表示手段に撮影された画像を表示する際に、メニュー画面が重畳表示されている状態では撮影された画像の多くの部分がメニュー画面によって隠されてしまい、意図する画像の撮影が困難になってしまうものであるが、従来の装置では、このような場合に容易にメニュー画面の消去を行うことができず、一瞬のシャッターチャンスを逃がすなどの問題を生じる恐れがあったものを、本発明によればこれらの問題点を容易に解消することができる。
【００３６】
また、上述の実施形態においては、シャッターキーの半押しが解除されたときには初期画面のメニュー画面▲２▼の表示に戻されるようになっている。このため、例えばメニュー画面▲２▼で任意の設定項目を選択してメニュー画面▲５▼等でそれぞれの設定事項の設定を行った後で、さらに他の設定項目の設定を行う場合にも、一旦シャッターキーを半押し状態にすることによってメニュー画面▲２▼の表示に戻されるので、次の設定項目の選択及び設定を極めて容易に行うことができる。
【００３７】
なお本発明は、上述の説明した実施の形態に限定されるものではなく、本発明の精神を逸脱することなく種々の変形が可能とされるものである。
【００３８】
【発明の効果】
従って本発明によれば、撮像手段と、撮像手段により撮像された画像を表示する表示手段と、画像を記録する記録手段と、画像の記録を指示するシャッターキーと、撮像に関する設定情報を表示するメニューを画像に重畳して、表示手段に表示させるように制御する制御手段と、を備え、制御手段は、シャッターキーに対する第1の操作により生成される第１の指示信号に基づいて、  画像に重畳されたメニューを消去するとともに、シャッターキーに対する第２の操作により生成される第２の指示信号に基づいて、画像の記録手段への記録を実行することによって、所望のときに容易にメニューの消去を行うことができ、意図する画像の撮影を良好に行うことができて、一瞬のシャッターチャンスを逃がすなどの問題を生じる恐れを解消することができるものである。
【図面の簡単な説明】
【図１】本発明の適用される画像記録装置の一実施形態の構成図である。
【図２】その動作の説明のためのフローチャート図である。
【図３】従来の画像記録装置の構成図である。
【図４】メニュー画面の遷移の説明図である。
【符号の説明】
１…レンズブロック、２…撮像素子（ＣＣＤ）、３…カメラ信号処理ブロック、４…信号処理ブロック、５…３原色（ＲＧＢ）デコーダ、６…液晶ディスプレイ（ＬＣＤ）表示パネル、７…パラレルバス、８…メモリ装置（ＤＲＡＭ）、９…記録信号処理ブロック、１０…シャッターキー、１１…半押し検出スイッチ、１２…深押し検出スイッチ、１３…システムコントローラ、１４…記録装置、１５…選択手段、１６…ＯＳＤコントローラ、１７…音声合成回路、１８…アンプ、１９…スピーカー
【図１】
0004403332.tif 000002
【図２】
0004403332.tif 000003
【図３】
0004403332.tif 000004
【図４】
0004403332.tif 000005